(57)【要約】【課題】面木の突き合わせ側の端部を簡単かつ正確に４５°で傾斜カット可能な面木切断補助具を提供する。【解決手段】三角筒体１２の長さ方向の両端面を、それぞれの直交する２辺間の頂点を基点とし、面木切断補助具１０の三角筒体１２の長さ方向の中間部側へ４５°傾斜した内傾斜切断ガイド面１２ｂとしたので、内傾斜切断ガイド面１２ｂに沿って面木１１を切断するだけで、面木１１の突き合わせ側の端部を、簡単かつ正確に、直交する２辺間の頂点を基点とし、面木１１の長さ方向の中間部側へ４５°で傾斜カットできる。【選択図】図１
0003125167.tif 000002
【実用新案登録請求の範囲】
【請求項１】
断面が直角二等辺三角形の面木と略同じ断面の筒孔が長さ方向の両端面を貫通して形成された直角二等辺三角形の三角筒体を本体とし、かつ前記面木のうち、前記三角筒体の長さ方向の両端の開口から突出した部分を傾斜カットする筒状面木切断補助具であって、
前記三角筒体の長さ方向の両端面が、それぞれの直交する２辺間の頂点を基点とし、前記三角筒体の長さ方向の中間部側へ４５°傾く内傾斜切断ガイド面となった面木切断補助具。
【請求項２】
断面が直角二等辺三角形の面木と略同じ断面の筒孔が長さ方向の両端面を貫通して形成された直角二等辺三角形の三角筒体を本体とし、かつ前記面木のうち、前記三角筒体の長さ方向の両端の開口から突出した部分を傾斜カットする筒状面木切断補助具であって、
前記三角筒体の長さ方向の両端面が、それぞれの直交する２辺間の頂点を基点とし、前記三角筒体の長さ方向の中間部とは反対側へ４５°傾く外傾斜切断ガイド面となった面木切断補助具。
【請求項３】
前記三角筒体には、前記筒孔に挿通された前記面木の位置決めピン用のピン孔が形成された請求項１または請求項２に記載の面木切断補助具。
【考案の詳細な説明】
【技術分野】
【０００１】
この考案は面木切断補助具、詳しくはコンクリート構造物、モルタル構造物などの面取りに使用される面木の使用時、面木同士の突き合わせ側の端部を傾斜カットする面木切断補助具に関する。
【背景技術】
【０００２】
例えば、建築物のコンクリート基礎を面取りする面木は、コンクリートを打設する基礎用型枠の内側の辺部に固定して使用される。その際、基礎用型枠が交わる隅部では、突き合わせ側の端部が４５°でそれぞれ傾斜カットされた面木を使用し、両面木のカット面同士を互いに接合することで、これらの面木を直角に連結していた。
従来、面木の突き合わせ側の端部の傾斜カットには、例えば、特許文献１の従来技術の欄に開示されたように、作業者の感に頼った鋸引きを採用していた。
【特許文献１】特開２００３−１８４３０３号公報
【考案の開示】
【考案が解決しようとする課題】
【０００３】
しかしながら、特許文献１では、このように面木の傾斜カット方法として、作業者の感による鋸引きを採用していた。そのため、正確な傾斜カットが難しく、基礎用型枠への面木の固定後、面木を部分的に補修（カットなど）しなければならなかった。また、補修しない場合には、打設後のコンクリートの面取り面が歪になっていた。
【０００４】
この考案は、面木の突き合わせ側の端部を簡単かつ正確に４５°で傾斜カットすることができる面木切断補助具を提供することを目的としている。
また、この考案は、筒孔内で面木を位置決めすることができる面木切断補助具を提供することを目的としている。
【課題を解決するための手段】
【０００５】
請求項１に記載の考案は、断面が直角二等辺三角形の面木と略同じ断面の筒孔が長さ方向の両端面を貫通して形成された直角二等辺三角形の三角筒体を本体とし、かつ前記面木のうち、前記三角筒体の長さ方向の両端の開口から突出した部分を傾斜カットする筒状面木切断補助具であって、前記三角筒体の長さ方向の両端面が、それぞれの直交する２辺間の頂点を基点とし、前記三角筒体の長さ方向の中間部側へ４５°傾く内傾斜切断ガイド面となった面木切断補助具である。
【０００６】
請求項１に記載の考案によれば、面木と三角筒体との互いの断面形状を一致させ、面木を三角筒体の筒孔に挿入する。このとき、面木の一端部を三角筒体の一方の開口から突出させ、この突出部分を、対応する内傾斜切断ガイド面に沿って例えば鋸により切断する。内傾斜切断ガイド面は、それぞれの直交する２辺間の頂点を基点とし、三角筒体の長さ方向の中間部側（以下、内側）へ４５°傾斜した面である。そのため、内傾斜切断ガイド面に沿って面木を切断するだけで、面木の突き合わせ側の端部を、簡単かつ正確に、直交する２辺間の頂点を基点とし、面木の長さ方向の中間部側へ４５°で傾斜カットすることができる。
また、三角筒体の他方の開口から面木の他端部を突出させ、この突出部分を反対側の内傾斜切断ガイド面に沿って切断することで、前記面木の一端部の傾斜カット面とは線対称となる４５°の傾斜カット面を面木の他端部に形成することができる。
【０００７】
このように、両内傾斜切断ガイド面は三角筒体の直交する２壁板間の頂点部を基点とし、かつ三角筒体の長さ方向の中間部側へそれぞれ４５°傾斜した形状を有している。そのため、１つの面木切断補助具を利用し、コンクリートまたはモルタルを打設する型枠の出隅形成部において、互いに直角に突き合わされる２本の水平な面木の突き合わせ側の端部をそれぞれ形成することができる。
【０００８】
また、この面木切断補助具を利用し、型枠の入隅形成部において、水平な２本の面木の突き合わせ部分に垂直に突き合わせ可能な山切り部を、面木の端部に形成することができる。
すなわち、三角筒体の一方の開口から面木の一端部を突出させ、一方の内傾斜切断ガイド面に沿って面木の一端部を切断する。次に、この切断部分を三角筒体の他方の開口から半分の長さだけ突出させ、その突出部分を反対側の内傾斜切断ガイド面に沿って切断する。これにより、面木の一端部に４５°の傾斜カット面が隣接した山切り部を形成することができる。
【０００９】
面木とは、構造物のコンクリートまたはモルタルによる打設に際し、型枠のコンクリート流し込み側の辺部に固定することで、打設された構造物の隅部を面取りする部材である。
面木は、断面が直角二等辺三角形の棒材でもよいし、筒材でもよい。面木のサイズ（断面積や長さを含む）は任意である。
面木の素材としては、例えば、各種の合成樹脂（例えばポリスチレンなど、特にポリスチレンに補強材として耐衝撃用ポリスチレンおよび発泡剤を配合したものが好ましい。）を採用することができる。
４５°で傾斜カットされるのは、面木の長さ方向の片方の端部だけでもよいし、両方の端部でもよい。面木のうち、カット（除去）される端部の長さは任意である。
【００１０】
三角筒体は、まず面木を筒孔に挿入することで面木の軸線を三角筒体の軸線に揃え、このまま内傾斜切断ガイド面に沿って面木を切断することで、面木の長さ方向に対するカット面の角度を、内傾斜切断ガイド面と同じ４５°に正確に一致させることができる。
三角筒体の素材は任意である。例えば、各種のプラスチック（ポリエチレン、ポリプロピレン、アクリルなど）、各種の木材（杉、檜、松、桐、桜など）、各種の金属（鉄、ステンレス、アルミニウム、黄銅、青銅など）を採用することができる。面木のカット角度の正確さを確保するには、三角筒体は剛体またはそれに近いものでなければならない。
【００１１】
三角筒体の筒孔および面木の断面形状は、何れも直角二等辺三角形である。ここでの断面とは、筒孔（三角筒体）の長さ方向に直交する断面、または、面木の長さ方向に直交する断面をいう。また、筒孔の断面積は、面木の断面積と同じでもよいし、面木のそれより若干大きくてもよい。ただし、三角筒体および面木の少なくとも一方が、例えば軟質素材（発泡体を含む）の場合には、筒孔の断面積が面木の断面積より若干小さくてもよい。
内傾斜切断ガイド面は、できるだけ凹凸の少ない平坦面とした方が好ましい。
内傾斜切断ガイド面は、三角筒体の長さ方向の片方の端面に形成してもよいし、両方の端面に形成してもよい。
面木を切断する刃物としては、例えば鋸、カッタなどを採用することができる。
三角筒体の長さ方向の両端面（両内傾斜切断ガイド面）が、それぞれの直交する２辺間の頂点を基点とし、三角筒体の長さ方向の中間部側へ４５°傾く面であるとは、三角筒体の対応する端面を画成する３辺のうち、長さが等しい２辺が直交した頂点を基点とし、それより三角筒体の内側（長さ方向の中間部側）へ４５°だけ傾斜した面であることを意味する。
【００１２】
請求項２に記載の考案は、断面が直角二等辺三角形の面木と略同じ断面の筒孔を有した三角筒体を本体とし、かつ前記面木のうち、前記筒孔の開口から突出した部分を傾斜カットする筒状面木切断補助具であって、前記三角筒体の長さ方向の両側の開口面が、該三角筒体の直交する２壁板間の頂点を基点とし、かつ前記三角筒体の長さ方向の中間部とは反対側へそれぞれ４５°傾斜する外傾斜切断ガイド面となった面木切断補助具である。
【００１３】
請求項２に記載の考案によれば、互いの断面形状を一致させ、面木を三角筒体の筒孔に挿入する。このとき、面木の一端部を三角筒体の一方の開口から突出させ、この突出部分を、対応する外傾斜切断ガイド面に沿って例えば鋸により切断する。外傾斜切断ガイド面は、それぞれの直交する２辺間の頂点を基点とし、三角筒体の長さ方向の中間部とは反対側（以下、外側）へ４５°傾斜した面である。そのため、外傾斜切断ガイド面に沿って面木を切断するだけで、面木の突き合わせ側の端部を、簡単かつ正確に、直交する２辺間の頂点を基点とし、面木の長さ方向の中間部とは反対側へ４５°で傾斜カットすることができる。
また、三角筒体の他方の開口から面木の他端部を突出させ、この突出部分を反対側の外傾斜切断ガイド面に沿って切断することで、前記面木の一端部の傾斜カット面とは線対称となる４５°の傾斜カット面を面木の他端部に形成することができる。
【００１４】
このように、両外傾斜切断ガイド面は三角筒体の直交する２壁板間の頂点部を基点とし、かつ三角筒体の外側へそれぞれ４５°傾斜した形状を有している。そのため、１つの面木切断補助具を利用し、型枠の入隅形成部で直角に突き合わされる２本の水平な面木の突き合わせ側の端部をそれぞれ形成することができる。
また、この面木切断補助具を利用し、型枠の出隅形成部において、水平な２本の面木の突き合わせ部分に垂直に突き合わせ可能な山切り部を、面木の端部に形成することができる。
すなわち、三角筒体の一方の開口から面木の一端部を突出させ、一方の外傾斜切断ガイド面に沿って面木の一端部を切断する。次に、この切断部分を三角筒体の他方の開口から半分の長さだけ突出させ、その突出部分を反対側の外傾斜切断ガイド面に沿って切断する。これにより、面木の一端部に４５°の傾斜カット面が隣接した山切り部を形成することができる。
【００１５】
三角筒体の長さ方向の両端面（両外傾斜切断ガイド面）が、それぞれの直交する２辺間の頂点を基点とし、三角筒体の長さ方向の中間部とは反対側へ４５°傾く面であるとは、三角筒体の対応する端面を画成する３辺のうち、長さが等しい２辺が直交した頂点を基点とし、それより三角筒体の外側（長さ方向の中間部とは反対側）へ４５°だけ傾斜した面であることを意味する。
【００１６】
請求項３に記載の考案は、前記三角筒体には、前記筒孔に挿通された前記面木の位置決めピン用のピン孔が形成された請求項１または請求項２に記載の面木切断補助具である。
【００１７】
請求項３に記載の考案によれば、ピン孔に位置決めピンを差し込むことで、面木を位置決めピンにより位置決め（固定）することができる。これにより、面木の端部を安定して正確に傾斜カットすることができる。
【００１８】
位置決めピンとしては、例えば釘または針、スクリューねじなどを採用することができる。
位置決めピンの素材は任意である。例えば、各種のプラスチック（ポリエチレン、ポリプロピレン、アクリルなど）、各種の木材（杉、檜、松、桐、桜など）、各種の金属（鉄、ステンレス、アルミニウム、黄銅、青銅など）を採用することができる。また、各種のセラミックスでもよい。
位置決めピンの使用本数は、ピン孔の形成数に応じて適宜変更される。
ピン孔の大きさ、形成数は任意である。また、三角筒体におけるピン孔の形成位置も任意である。例えば、三角筒体の長さ方向の一端部のみ、またはこの長さ方向の両端部にピン孔を形成してもよい。
【考案の効果】
【００１９】
請求項１に記載の考案によれば、三角筒体の長さ方向の両端面を、それぞれの直交する２辺間の頂点を基点とし、三角筒体の長さ方向の中間部側へ４５°傾斜した内傾斜切断ガイド面としたので、内傾斜切断ガイド面に沿って面木を切断するだけで、面木の突き合わせ側の端部を、簡単かつ正確に、直交する２辺間の頂点を基点とし、面木の長さ方向の中間部側へ４５°で傾斜カットすることができる。
また、面木の任意の端部に対して、三角筒体の両外傾斜切断ガイド面を順に利用することで、型枠の出隅形成部で直角に突き合わされる水平な２本の面木の突き合わせ部分に対して、垂直に突き合わせ可能な山切り部を、面木の端部に形成することができる。
【００２０】
特に、請求項２に記載の考案によれば、三角筒体の長さ方向の両端面を、それぞれの直交する２辺間の頂点を基点とし、三角筒体の長さ方向の中間部とは反対側へ４５°傾斜した外傾斜切断ガイド面としたので、外傾斜切断ガイド面に沿って面木を切断するだけで、面木の突き合わせ側の端部を、簡単かつ正確に、直交する２辺間の頂点を基点とし、面木の長さ方向の中間部とは反対側へ４５°で傾斜カットすることができる。
また、面木の任意の端部に対して、三角筒体の両外傾斜切断ガイド面を順に利用することで、型枠の入隅形成部で直角に突き合わされる水平な２本の面木の突き合わせ部分に対して、垂直に突き合わせ可能な山切り部を、面木の端部に形成することができる。
【００２１】
また、請求項３に記載の考案によれば、ピン孔に位置決めピンを差し込むことで、面木を位置決めピンにより位置決めすることができる。これにより、面木の端部を安定して正確に傾斜カットすることができる。
【考案を実施するための最良の形態】
【００２２】
以下、この考案の実施例を具体的に説明する。
【実施例１】
【００２３】
図１〜図３において、１０はこの考案の実施例１に係る面木切断補助具で、この面木切断補助具１０は、建築物のコンクリート基礎の出隅部Ｃ１（図１６）のうち、隣り合う水平な辺部を面取りする１対の面木１１の突き合わせ側の端部に、各直交する２辺間の頂点を基点とし、面木１１の長さ方向の中間部側（内側）へ４５°で傾斜カットする治具である。
また、図９〜図１１において、２０はこの考案の実施例１に係る別の面木切断補助具で、この面木切断補助具２０は、前記出隅部Ｃ１のうち、垂直な辺部を面取りする面木１１の一端部（上端部／突き合わせ側の端部）に、各直交する２辺間の頂点を基点とし、面木１１の長さ方向の中間部とは反対側（外側）へ４５°で傾斜カットする治具である。面木１１は、ポリスチレンに補強材として耐衝撃用ポリスチレンおよび発泡剤を配合し、これを断面直角二等辺三角形の中実体としたものである。
【００２４】
まず、図１〜図３を参照して、前者の面木切断補助具１０について説明する。
面木切断補助具１０は、断面が直角二等辺三角形の面木１１と略同じ断面形状でかつ略同じ断面積の筒孔１２ａが、長さ方向の両端面を貫通して形成された直角二等辺三角形の三角筒体１２を本体とし、三角筒体１２の長さ方向の両端面が、それぞれの直交する２辺間の頂点を基点とし、三角筒体１２の内側へ４５°傾く内傾斜切断ガイド面１２ｂとなったものである。
【００２５】
三角筒体１２は透明なアクリル製で、直交する辺の長さが互いに等しい１対の等辺側板１３，１４と、両等辺側板１３，１４より厚肉な斜辺側板１５とを、三角筒体１２の長さ方向に直交する断面が、直角二等辺三角形状となるように連結したものである。一方の等辺側板１３は、短冊状の細長い矩形板である。また、他方の等辺側板１４は、一方の等辺側板１３と厚さが同じで、かつ一方の等辺側板１３の長辺と長さが同じ上底と、一方の等辺側板１３の長辺より短い下底とを有する台形の板である。さらに、斜辺側板１５は、他方の等辺側板１４の上底と長さが同じ下底と、他方の等辺側板１４の下底（一方の等辺側板１３の長辺）と同じ長さの上底とを有し、他方の等辺側板１４より高さが高い台形の板である。
【００２６】
一方の等辺側板１３の長さ方向の両端部のうち、一方の等辺側板１３の幅方向の中間位置には、筒孔１２ａに挿通された面木１１を位置決めする釘（位置決めピン）１６の挿通（抜き差し）用の釘孔（ピン孔）１７が１つずつ穿孔されている。このとき、三角筒体１２の両端部において、三角筒体１２の端面から釘孔１７までの距離は同じである。両釘孔１７の形成部の周囲には、対応する釘孔１７の位置を明示するため、白色で幅広な円形マーク１８がそれぞれ付されている。
【００２７】
次に、図９〜図１１を参照して、後者の面木切断補助具２０について説明する。
面木切断補助具２０は、筒孔１２ａを有した三角筒体１２を本体とし、三角筒体１２の長さ方向の両端面が、それぞれの直交する２辺間の頂点を基点とし、三角筒体１２の外側へ４５°傾いた外傾斜切断ガイド面１２ｃとなったものである。
三角筒体１２のうち、一方の等辺側板１３は、短冊状の細長い矩形板である。また、他方の等辺側板１４は、一方の等辺側板１３と厚さが同じで、かつ一方の等辺側板１３の長辺と長さが同じ上底と、一方の等辺側板１３の長辺より長い下底とを有する台形の板である。さらに、斜辺側板１５は、他方の等辺側板１４の上底と長さが同じ下底と、他方の等辺側板１４の下底と同じ長さの上底を有し、他方の等辺側板１４より高さが高い台形の板である。
斜辺側板１５の長さ方向の両端部のうち、斜辺側板１５の幅方向の中間位置には、釘孔１７が１つずつ形成されている。このとき、三角筒体１２の両端部において、三角筒体１２の端面から釘孔１７までの距離は同じである。両釘孔１７の形成部の周囲には、白色で幅広の円形マーク１８がそれぞれ付されている。その他の構成は、面木切断補助具１０と同じである。
【００２８】
次に、図４〜図８を参照して、この考案の実施例１に係る面木切断補助具１０および面木切断補助具２０を用いて、建築物のコンクリート基礎の出隅部Ｃ１のうち、互いに突き合わされる３辺にそれぞれ面取りを施す方法を説明する。
まず、図１〜図３に示す面木切断補助具１０を用いた面木１１の傾斜カット方法を説明する。
互いの断面形状を一致させ、一方の水平配置される面木１１を面木切断補助具１０の三角筒体１２の筒孔１２ａに挿入する（図４）。このとき、面木１１の一端部を三角筒体１２の一方の開口から所定長さだけ突出させる。それから、三角筒体１２の一方の開口側の釘孔１７に白い円形マーク１８を目安に釘１６を差し込み、釘１６の先端部を面木１１に突き刺すことで、面木１１を三角筒体１２に位置決め（固定）する。これにより、面木１１の端部を安定して正確に傾斜カットすることができる。
【００２９】
続いて、位置決め後の面木１１の突出部分を、一方の開口側の内傾斜切断ガイド面１２ｂに沿って鋸１９により切断する（図５）。内傾斜切断ガイド面１２ｂは、直交する２辺間の頂点を基点とし、三角筒体１２の内側へ４５°傾斜した面である。そのため、内傾斜切断ガイド面１２ｂに沿って面木１１を切断することで、面木１１の突き合わせ側の端部を、簡単かつ正確に、直交する２辺間の頂点を基点とし、面木１１の内側へ４５°で傾斜カットすることができる。
【００３０】
次に、釘孔１７から釘１６を引き抜くとともに、傾斜カットされた面木１１を三角筒体１２から引き抜き、これを型枠２０の出隅形成部２１の上辺の１つに沿って水平に固定する（図６）。一方の面木１１の型枠２０への固定方法としては、両面テープによる貼着を採用している。その他、釘打ちでもよいし、接着剤による接着などでもよい。
その後、三角筒体１２の筒孔１２ａに他方の面木１１を挿入する（図７）。そして、三角筒体１２の他方の開口から他方の面木１１の一端部を所定長さ突出させ、この突出部分を反対側の内傾斜切断ガイド面１２ｂに沿って鋸１９により切断する。その結果、一方の面木１１の一端部の傾斜カット面１１ａとは線対称で、この傾斜カット面１１ａと突き合わせが可能な４５°の傾斜カット面１１ａを、他方の面木１１の一端部に形成することができる。傾斜カットされた他方の面木１１を三角筒体１２から引き抜き、これを型枠２０の出隅形成部２１の別の上辺に沿って水平に固定する（図８）。このとき、一方の面木１１の傾斜カット面１１ａと他方の面木１１の傾斜カット面１１ａとを直角に接合する。
【００３１】
このように、両内傾斜切断ガイド面１２ｂは三角筒体１２の直交する２壁板間の頂点部を基点とし、かつ三角筒体１２の内側へそれぞれ４５°傾斜した形状を有している。そのため、１つの面木切断補助具１０を利用し、建築物のコンクリート基礎を打設する型枠２０の出隅形成部２１において、互いに直角に突き合わされる２本の水平な面木１１の突き合わせ側の端部をそれぞれ形成することができる。
【００３２】
次に、別の面木切断補助具２０を利用し、型枠２０の出隅形成部２１において、水平な２本の面木１１の突き合わせ部分に垂直に突き合わせ可能な山切り部を、面木１１の端部に形成する方法を説明する。
すなわち、別の面木切断補助具２０において、三角筒体１２の一方の開口から別の面木１１の一端部を所定長さだけ突出させる。この状態で、一端部側の釘孔１７に釘１６を挿入し、別の面木１１を三角筒体１２に固定する（図１２）。その後、一方の外傾斜切断ガイド面１２ｃに沿って面木１１の一端部を４５°に鋸１９引きにより傾斜カットする。外傾斜切断ガイド面１２ｃは、直交する２辺間の頂点を基点とし、三角筒体１２の外側へ４５°傾斜した面である。そのため、外傾斜切断ガイド面１２ｃに沿って面木１１を切断することで、面木１１の突き合わせ側の端部を、簡単かつ正確に、直交する２辺間の頂点を基点とし、面木１１の外側へ４５°で傾斜カットすることができる。
【００３３】
その後、釘１６を釘孔１７から抜き取り、別の面木１１を三角筒体１２から引き抜く。そして、別の面木１１を１８０°回転させてから三角筒体１２の筒孔１２ａに戻す。このとき、他端部側の釘孔１７と、先の釘１６の突き刺しで面木１１に形成されたピン刺し孔とを合致させる。これにより、傾斜カット部分の半分の長さ分が三角筒体１２の他方の開口から突出される（図１３）。それから、釘１６を釘孔１７を通して再び前記ピン刺し孔に突き刺し、面木１１を三角筒体１２に固定する。その後、位置決め後の面木１１の突出部分を、他方の開口側の外傾斜切断ガイド面１２ｃに沿って鋸１９引きで傾斜カットする。これにより、面木１１の一端部に４５°の傾斜カット面１１ａが隣り合う山切り部が形成される（図１４）。
【００３４】
そして、釘孔１７から釘１６を引き抜くとともに、別の面木１１を三角筒体１２から引き抜き、これを型枠２０の出隅形成部２１の側辺に沿って垂直に固定する（図１５）。
その後、型枠２０にコンクリートを流し込み、これを養生、固化することで、出隅部Ｃ１が面取りされた建築物のコンクリート基礎が打設される（図１６）。
【００３５】
次に、図１７〜図２０を参照し、別の面木切断補助具２０を利用し、型枠２０の入隅形成部２２の上辺に沿って水平に固定される２本の面木１１の突き合わせ側の端部に４５°の傾斜カットを施す方法を説明する。
まず、別の面木切断補助具２０において、三角筒体１２の筒孔１２ａに面木１１を挿入し、釘１６により面木１１を三角筒体１２に固定後、一方の外傾斜切断ガイド面１２ｃに沿って、三角筒体１２の一方の開口から突出した面木１１の一端部を４５°で傾斜カットする（図１７）。得られた面木１１を、型枠２０の入隅形成部２２の上辺に沿って水平に固定する（図１８）。
【００３６】
次いで、釘１６を釘孔１７から抜き取り、三角筒体１２内の面木１１を他の面木１１と差し替える。そして、同じような作業で、他の面木１１を三角筒体１２の他方の外傾斜切断ガイド面１２ｃに沿って傾斜カットする。その後、型枠２０の入隅形成部２２において、得られた他の面木１１を、予め固定された面木１１に互いの傾斜カット面１１ａを接触させて、入隅形成部２２の隣接する上辺に沿って水平に固定する（図１９）。
その後、型枠２０にコンクリートを流し込み、これを養生、固化することで、入隅部Ｃ２が面取りされた建築物のコンクリート基礎が打設される（図２０）。
このように、別の面木切断補助具２０を利用し、型枠２０の入隅形成部２２の上辺に沿って、水平な直交状態で固定される２本の面木１１に対して、各突き合わせ側の端部に、互いに突き合わせ可能な４５°の傾斜カットを施すことができる。
【図面の簡単な説明】
【００３７】
【図１】この考案の実施例１に係る面木切断補助具の正面図である。
【図２】この考案の実施例１に係る面木切断補助具の背面図である。
【図３】この考案の実施例１に係る面木切断補助具の縦断面図である。
【図４】この考案の実施例１に係る面木切断補助具による水平配置用の一方の面木の位置決め状態を示す要部拡大斜視図である。
【図５】この考案の実施例１に係る面木切断補助具を用いた水平配置用の一方の面木の傾斜カット状態を示す斜視図である。
【図６】この考案の実施例１に係る面木切断補助具により得られた一方の面木を型枠の出隅形成部に水平に固定した状態を示す斜視図である。
【図７】この考案の実施例１に係る面木切断補助具を用いた水平配置用の他方の面木の傾斜カット作業を示す斜視図である。
【図８】この考案の実施例１に係る面木切断補助具により得られた他方の面木を型枠の出隅形成部に水平に固定した状態を示す斜視図である。
【図９】この考案の実施例１に係る別の面木切断補助具の正面図である。
【図１０】この考案の実施例１に係る別の面木切断補助具の背面図である。
【図１１】この考案の実施例１に係る別の面木切断補助具の縦断面図である。
【図１２】この考案の実施例１に係る別の面木切断補助具を用いた面木の一端部に対する傾斜カット状態を示す斜視図である。
【図１３】この考案の実施例１に係る別の面木切断補助具を用いて面木の一端部への山切りカット状態を示す斜視図である。
【図１４】この考案の実施例１に係る別の面木切断補助具により得られた一端部に山切りカットが施された面木の斜視図である。
【図１５】この考案の実施例１に係る別の面木切断補助具により得られた一端部が山切りカットされた面木を型枠の出隅形成部に垂直に固定した状態を示す斜視図である。
【図１６】この考案の実施例１に係る面木切断補助具および別の面木切断補助具により得られた面木が固定された型枠により打設された建築物のコンクリート基礎の斜視図である。
【図１７】この考案の実施例１に係る別の面木切断補助具を用いて一方の面木の一端部に対する傾斜カット状態を示す斜視図である。
【図１８】この考案の実施例１に係る別の面木切断補助具により得られた一方の面木を型枠の入隅形成部に水平に固定した状態を示す斜視図である。
【図１９】この考案の実施例１に係る別の面木切断補助具により得られた他方の面木を型枠の入隅形成部に水平に固定した状態を示す斜視図である。
【図２０】この考案の実施例１に係る別の面木切断補助具により得られた面木を固定した型枠を用いて打設された建築物のコンクリート基礎の斜視図である。
【符号の説明】
【００３８】
１０，２０  面木切断補助具、
１１  面木、
１２ａ  筒孔、
１２  三角筒体、
１２ｂ  内傾斜切断ガイド面、
１２ｃ  外傾斜切断ガイド面、
１６  位置決め釘（位置決めピン）、
１７  ピン孔。
【図１】
0003125167.tif 000003
【図２】
0003125167.tif 000004
【図３】
0003125167.tif 000005
【図４】
0003125167.tif 000006
【図５】
0003125167.tif 000007
【図６】
0003125167.tif 000008
【図７】
0003125167.tif 000009
【図８】
0003125167.tif 000010
【図９】
0003125167.tif 000011
【図１０】
0003125167.tif 000012
【図１１】
0003125167.tif 000013
【図１２】
0003125167.tif 000014
【図１３】
0003125167.tif 000015
【図１４】
0003125167.tif 000016
【図１５】
0003125167.tif 000017
【図１６】
0003125167.tif 000018
【図１７】
0003125167.tif 000019
【図１８】
0003125167.tif 000020
【図１９】
0003125167.tif 000021
【図２０】
0003125167.tif 000022